(57)【特許請求の範囲】
【請求項１】
被写体を撮像する撮像部と、
前記撮像部とは異なる筐体に収容され、前記撮像部と無線で接続される携帯可能な装置と、
からなり、
前記携帯可能な装置はセンサ手段を備え、このセンサ手段のセンシング結果に基づく制御信号を前記撮像部へ無線で送信し、
前記撮像部は受信した前記制御信号に基づいてオート撮影モード開始又はオート撮影モード終了、及びシャッタタイミング決定を含む撮像処理を行うシステムにおいて、
前記センサ手段は高度センサであり、前記センシング結果は高度情報であることを特徴とするシステム。
【請求項２】
被写体を撮像する撮像部と、
前記撮像部とは異なる筐体に収容され、前記撮像部と無線で接続される携帯可能な装置と、
からなり、
前記携帯可能な装置はセンサ手段を備え、このセンサ手段のセンシング結果に基づく制御信号を前記撮像部へ無線で送信し、
前記撮像部は受信した前記制御信号に基づいてオート撮影モード開始又はオート撮影モード終了、及びシャッタタイミング決定を含む撮像処理を行うシステムにおいて、
前記センサ手段は時計であり、前記センシング結果は時間情報であることを特徴とするシステム。
【請求項３】
請求項２記載のシステムにおいて、
前記装置内にスケジュール情報が設定されており、前記撮像部は、前記スケジュール情報と前記時間情報とに応じて撮像処理を行うことを特徴とする。
【請求項４】
請求項３記載のシステムにおいて、
音声検知手段を更に備え、前記スケジュール情報が設定されている時間帯内に、前記音声検知手段が音声情報を検知すると、前記制御信号として音声情報を送信し、前記撮像部は、前記音声情報に応じて撮像処理を行うことを特徴とする。
【請求項５】
請求項３又は４記載のシステムにおいて、
前記スケジュール情報と前記時間情報に応じて、スケジュール時間に入る所定時間前に無線確立（ペアリング）する通信制御手段を更に備えることを特徴とする。
【請求項６】
被写体を撮像する撮像部と、
前記撮像部とは異なる筐体に収容され、前記撮像部と無線で接続される携帯可能な装置と、
からなり、
前記携帯可能な装置はセンサ手段を備え、このセンサ手段のセンシング結果に基づく制御信号を前記撮像部へ無線で送信し、
前記撮像部は受信した前記制御信号に基づいてオート撮影モード開始又はオート撮影モード終了、及びシャッタタイミング決定を含む撮像処理を行うシステムにおいて、
前記センサ手段は歩数センサであり、前記センシング結果は歩数情報であることを特徴とするシステム。
【請求項７】
請求項１乃至６いずれかに記載のシステムにおいて、
前記センサ手段とは異なる種類の他のセンサ手段をさらに備え、
前記撮像部が行う撮像処理は、前記センサ手段のセンシング結果に基づいてオート撮影モード開始又はオート撮影モード終了の処理を行い、前記他のセンサ手段のセンシング結果に基づいてシャッタタイミング決定の処理を行うことを特徴とする。
【請求項８】
請求項１乃至６いずれかに記載のシステムにおいて、
前記携帯可能な装置は前記センサ手段のセンシング結果を基に前記シャッタタイミングを認識し、その認識結果を前記制御信号として前記撮像部へ送信し、
前記撮像部は、受信した前記制御信号に基づいて撮像処理を行うことを特徴とする。
【請求項９】
請求項１乃至６いずれかに記載のシステムにおいて、
前記携帯可能な装置は前記センサ手段のセンシング結果を前記制御信号として前記撮像部へ送信し、
前記撮像部は受信した前記制御信号から前記シャッタタイミングを認識し、その認識結果に基づいて撮像処理を行うことを特徴とする。
【請求項１０】
請求項１乃至６いずれかに記載のシステムにおいて、
前記携帯可能な装置はスマートフォンであることを特徴とする。
【請求項１１】
請求項１乃至６いずれかに記載のシステムにおいて、
前記携帯可能な装置は腕に装着可能なリスト端末であることを特徴とする。
【請求項１２】
請求項１乃至６いずれかに記載のシステムにおいて、
前記撮像部と前記携帯可能な装置は着脱可能に構成されることを特徴とする。
【請求項１３】
携帯可能な装置であって、
センサ手段と、
前記センサ手段のセンシング結果を基に、オート撮影モードの開始又はオート撮影モードの終了、及びシャッタタイミングを認識する認識手段と、
前記認識手段により認識された結果を制御信号として外部の撮像部へ送信する送信手段と、を具備し、
前記センサ手段と前記センシング結果の組み合わせが、以下の（１）〜（３）のいずれかであることを特徴とする装置。
（１）高度センサと高度情報
（２）時計と時間情報
（３）歩数センサと歩数情報
【請求項１４】
センサ手段を備え、撮像部と分離している携帯可能な装置ＣＰＵが実行する制御方法であって、
前記センサ手段のセンシング結果を基に前記撮像部のオート撮影モード開始又はオート撮影モード終了、及びシャッタタイミングを認識する認識工程と、
前記認識工程により認識された結果を制御信号として前記撮像部へ送信する送信工程と、
を含み、
前記センサ手段と前記センシング結果の組み合わせが、以下の（１）〜（３）のいずれかであることを特徴とする制御方法。
（１）高度センサと高度情報
（２）時計と時間情報
（３）歩数センサと歩数情報
【発明の詳細な説明】
【技術分野】
【０００１】
本発明は、撮像部を備えたカメラの撮影を制御する技術に関し、特に、スマートフォン等のウエアラブルデバイスを用いてオート撮影をするカメラのシステム並びに装置、制御方法に関する。
【背景技術】
【０００２】
従来から、カメラをリモコンにより離れた位置から撮像指示する技術が知られている。
また、カメラに加速度センサや人感センサが設けられ、センサのセンシング結果によりオート撮影するものが知られている。
更に、部屋に温度センサや煙センサが設けられ、異常を検知したときオート撮影する監視カメラが知られている。
他方、被写体となる人物が無線タグを携帯し、無線タグから発信される無線信号を受信したカメラがオート撮影する技術がある（特許文献１参照）。
【先行技術文献】
【特許文献】
【０００３】
【特許文献１】特開２００４−２８７１４５号公報
【発明の概要】
【発明が解決しようとする課題】
【０００４】
しかしながら、特許文献１記載の技術は、被写体となる人物が携帯している無線タグで人物の概略位置をカメラに知らせるだけのものであり、正確な位置を知るための赤外線センサ、超音波センサ等はカメラ側に付いており、携帯する装置側でオート撮影のタイミングを制御することができないという課題があった。
この発明は上記事情に鑑みて成されたもので、携帯可能な装置（ウエアラブルデバイス）の状況に応じて、離れたところにあるカメラのオート撮影を制御することを目的とする。
【課題を解決するための手段】
【０００５】
本発明の一態様は、被写体を撮像する撮像部と、前記撮像部とは異なる筐体に収容され、前記撮像部と無線で接続される携帯可能な装置と、からなり、前記携帯可能な装置はセンサ手段を備え、このセンサ手段のセンシング結果に基づく制御信号を前記撮像部へ無線で送信し、前記撮像部は受信した前記制御信号に基づいてオート撮影モード開始又はオート撮影モード終了、及びシャッタタイミング決定を含む撮像処理を行うシステムにおいて、
前記センサ手段は高度センサであり、前記センシング結果は高度情報であることを特徴とするシステムである。
【発明の効果】
【０００９】
本発明によれば、撮像部と、この撮像部とは異なる筐体に収容され前記撮像部と無線で接続される携帯可能な装置にセンサ手段を設け、このセンサ手段のセンシング結果に応じて前記撮像部の撮像タイミングを制御するようにしたので、センサ手段により携帯可能な装置の付近の状況をセンシングした結果に応じて、離れたところにある撮像部の撮像を制御することができる。
【図面の簡単な説明】
【００１０】
【図１】本発明の一実施の形態の概観を示す図である。
【図２】本発明の他の実施の形態の概観を示す図である。
【図３】本発明の一実施の形態の撮像部１とコントロール部２の内部構成概略を示すブロック図である。
【図４】本発明の一実施の形態のコントロール部２の制御部２０の動作を説明するためのフローチャートである。
【図５】本発明の一実施の形態の撮像部１の制御部１０の動作を説明するためのフローチャートである。
【図６】本発明の一実施の形態の動作を説明するためのフローチャートである。
【図７Ａ】本発明の第２の実施の形態を説明するための図である。
【図７Ｂ】本発明の第２の実施の形態を説明するための図である。
【図８】本発明の第２の実施の形態の動作を説明するためのフローチャートである。
【図９】本発明の第３の実施の形態を説明するための図である。
【図１０】本発明の第３の実施の形態の動作を説明するためのフローチャートである。
【図１１】本発明の第４の実施の形態の動作を説明するためのフローチャートである。
【図１２】本発明の第５の実施の形態を説明するための図である。
【図１３】本発明の第５の実施の形態を説明するための図である。
【図１４】本発明の第６の実施の形態を説明するための図である。
【発明を実施するための形態】
【００１１】
以下、図面を参照しながら本発明の実施の形態について説明する。この実施の形態は、リモコン、スマートフォン、リスト端末等のウエアラブルデバイスとカメラを連携させ、オート撮影することで、今までは撮影できなかったさまざまな利用シーンを広げるものである。
【００１２】
＜用語の定義＞
本明細書において、センサとは、ウィキペディア（登録商標）によれば「自然現象や人工物の機械的・電磁気的・熱的・音響的・化学的性質あるいはそれらで示される空間情報・時間情報を、何らかの科学的原理を応用して、人間や機械が扱い易い別媒体の信号に置き換える装置のことをいい、センサを利用した計測・判別を行うことを「センシング」という。」とされており、この定義に従うものとする。時間情報を計時するいわゆる計時装置も本明細書ではセンサに含めるものとする。また、撮像と撮影については、一般に撮像は撮像デバイスが画像を取り込むことをいい、撮影は装置やユーザが撮像デバイスを用いて画像を取り込むことをいうが、本明細書では同義として扱う。オート撮影と自動撮影、シャッタタイミングと撮影タイミング、携帯可能な装置とウエアラブルデバイスも同義として扱う。
【００１３】
＜構成＞
図１は、本発明の一実施の形態の外観を示す図である。１００はカメラシステムであり、図１（ａ）（ｂ）に示すように、撮像部１とコントロール部２を着脱可能に構成している。撮像部１とコントロール部２は、例えばブルートゥース（Bluetooth）（登録商標）等で無線接続される。コントロール部２がウエアラブルデバイスに対応する。構造的には、着脱可能のほかに、撮像部１とコントロール部２の角度を可変にしたり、折りたたみ可能にしたり、回動可能にすることは、適宜設計可能である。
【００１４】
図２は、他の実施の形態の外観を示す。図２（ａ）は、ウエアラブルデバイスとしてリスト端末２Ａを使用しているものである。撮像部１Ａは基本的に撮像部１と同じであるが、機構的に図１に示したように一体化はされていない。図２（ｂ）はウエアラブルデバイスとしてスマートフォン２Ｂを使用しているものである。撮像部１Ｂは前記撮像部１、１Ａと基本的に同じである。図２（ｃ）はスマートフォン２Ｃを経由してインターネット２００と接続する例を示す。撮像部１Ｃは前記撮像部１、１Ａ、１Ｂと基本的に同じである。撮像部１Ｃがインターネットとつながることで、画像の共有やＳＮＳサイトへの投稿ができる。
【００１５】
図３は、図１の実施の形態における撮像部１とコントロール部２の内部構成の概略を示すブロック図である。
撮像部１において、１１はレンズ、ＣＣＤやＣＭＯＳ等の撮像素子、電子シャッタ、タイミング制御回路、ズーム機構や手ぶれ補正機構等を含む撮像デバイスである。１２は撮像デバイス１１により撮像された静止画、連写画像、動画等を記憶する記憶部である。ワークメモリとしても使用される。１３はコントロール部２と無線で連携を取る通信制御部である。採用する通信技術はブルートゥース（Bluetooth）（登録商標）に限らずＷｉ-Ｆｉ（登録商標）や赤外線等でも良い。また、一旦スマートフォン等を中継してインターネットに接続することも可能である。１０は、撮像部１全体を制御するＣＰＵとプログラムを含む制御部である。１４は、後述する各種センサを含むセンサ部である。
【００１６】
コントロール部２において、２１は撮像部１と無線で連携を取る通信制御部である。２２は撮像部１で撮像され通信制御部１３、２１を介して送られてきた静止画、連写画像、動画等を記憶する記憶部である。ワークメモリとしても使用される。更に、後述するスケジュール帳４０としてスケジュール情報を記憶する。２３は撮像部１から送られてきた画像、記憶部２２に記憶された画像、その他メニュー等を表示する表示部である。タッチパネルと一体形成されていても良い。２４は、各種操作入力を行う操作部である。前記タッチパネルで兼用することもできる。２０は、コントロール部２全体を制御するＣＰＵとプログラムを含む制御部である。２５は、後述する各種センサを含むセンサ部である。
【００１７】
表示部２３は離れたところにある撮像部１の撮像画像のビューファインダとしてビデオスルー画像を表示し、また、撮影画像のモニタとして使用される。従って、ファインダ画像やオート撮影した画像を手元ですぐ見ることができる。撮像部１がユーザからは見えないところに置かれている場合も想定され、何が撮れるか常に見え、何が撮れたかすぐに分かる効果がある。更に、制御部２０に画像認識機能や画像拡大機能を持たせることも可能であり、「良い写真」が撮れたと判断されたら表示部２３に表示するようにしたり、撮影した画像の顔を認識して顔部分を拡大表示したりすることもできる。良い写真の判断手法はいくつか考えられるが、例えば笑顔検出、ぶれ度検出、顔の大きさの検出、等の技術を適用すればよい。また表示部２３は前記スケジュール帳４０の表示も行う。
【００１８】
ここで、センサ部１４、センサ部２５について説明する。このカメラシステム１００は複数のセンサを搭載しており、センサのセンシング結果に応じて撮像部１によりオート撮影を実行させるものである。センサ部１４、センサ部２５に含まれるセンサは同じものでも良く異なっていても良いし、いずれか一方にあっても良い。ただしコントロール部２によって離れたところにある撮像部１に撮像動作をさせることが本実施の形態の目的であるので、センサ部２５は本実施の形態においては必須である。
【００１９】
センサ部２５又は１４に含まれるセンサは、特にコントロール部２の置かれている状況を測定するためのものであり、速度センサ、加速度センサ、ジャイロセンサ（角速度センサ）、高度センサ、ＧＰＳ（位置検出）、時計（時間検出）、歩数センサ（歩数検出）、マイク（音声検出）、気圧センサ、温度センサを含む。もちろんこれらに限定されるものではない。
【００２０】
これらのセンサのセンシング結果に応じて撮像部１のシャッタタイミングを認識するものであり、この認識手段はコントロール部２の制御部２０が担っても良いし、撮像部１の制御部１０が担っても良い。すなわち、コントロール部２の制御部２０が担う場合は、コントロール部２内で制御部２０がシャッタタイミングを認識し、シャッタタイミングであることを制御信号として撮像部１へ送る。また、撮像部１の制御部１０が担う場合は、コントロール部２からセンシング信号を制御信号として送られてきて、撮像部１内で制御部１０がシャッタタイミングを認識し撮像処理を実行する。
【００２１】
＜動作＞
次に、本実施の形態の動作について説明する。
図４はコントロール部２の制御部２０の動作を示すフローチャートである。センサ部２５の各種センサのセンシング信号を定期的に取り込み（ステップＳ１１）、このセンシング結果Ｂを制御信号として撮像部１へ送信する（ステップＳ１２）。次にこのセンシング信号がシャッタタイミングを示しているか否かを認識する（ステップＳ１３）。どのセンサのどのようなセンシング結果をシャッタタイミングとするかの具体的な例はフローチャートを用いて後述する。ここでシャッタタイミングでないと認識されれば（ＮＯ）ステップＳ１１へ戻り、シャッタタイミングであると認識されれば（ＹＥＳ）ステップＳ１４へ進んで、シャッタタイミングであることを示す信号Ａを制御信号として撮像部１へ送信する（ステップＳ１３）。
【００２２】
図５は撮像部１の制御部１０の動作を示すフローチャートである。コントロール部２から送られてくる制御信号を取り込み（ステップＳ２１）、その制御信号がシャッタタイミングを示す信号Ａであるか、センサ部１４のセンシング結果を示す信号Ｂであるかを判別し（ステップＳ２２）、シャッタタイミングを示す信号ＡであればステップＳ２４へ進んで撮像デバイス１１を制御して撮像処理を実行する。センシング結果を示す信号Ｂであれば、ステップＳ２３でこのセンシング信号がシャッタタイミングを示しているか否かを認識する。ここでシャッタタイミングでないと認識されれば（ＮＯ）ステップＳ２１へ戻り、シャッタタイミングであると認識されれば（ＹＥＳ）ステップＳ２４へ進んで、撮像処理を実行する。
【００２３】
＜第１の実施の形態＞
第１の実施の形態として、センサ手段として速度センサを用い、特定の速度をトリガーに撮影を行うものについて説明する。速度センサとは、自分自身の移動速度を検出するもののことをいい、例えばＧＰＳにより移動距離と移動時間から算出する。また、精度は劣るが加速度センサによっても移動速度を算出することができる。更に、スカイダイビングのように高さ方向に移動する場合は高度センサの情報も速度算出に使用できる。
予め設定した速度を検出したときにオート撮影することにより、スピードに乗っている時に撮影したい場合に有効である。
【００２４】
まず、速度に応じてオート撮影モード開始又はオート撮影モード終了を判断する。すなわち、ずっとオート撮影のスタンバイをしているのではなく、オート撮影モードを開始してから、速度センサのセンシング結果に応じてオート撮影を行う。
例えば１０ｍの高低差を５秒以内で動いたら時速１０ｋｍ程度と判断しオート撮影モード開始、１ｍの高低差を２秒以内で動いたらオート撮影モード開始、 時速２ｋｍ程度と判断したらオート撮影モード開始等である。ここで、オート撮影モードの開始は高度で決定するのではなく、ＧＰＳでの予定の位置の検出や、加速度センサでの移動開始の検出により決定してもよい。
【００２５】
また、オート撮影モードの終了も、高度の変化と時間で判断することができる。例えば、３０秒の間に高度変化幅が２ｍ以下の場合、オート撮影モード終了、３０秒の間に高度変化幅が８０ｍ以下の場合、オート撮影モード終了等。あるいは、時速３５ｋｍ以下になった場合、オート撮影モード終了、時速５０ｋｍ以下になった場合、オート撮影モード終了等である。ここで、オート撮影モードの終了は高度で決定するのではなく、ＧＰＳでの予定の位置の検出や、加速度センサでの移動開始の検出によって決定してもよい。
【００２６】
更に、速度が速いときの撮影はぶれやすく、また、単位時間当たりに変化していく景色や被写体の変化が激しいので、速度が速くなるほど撮影のフレームレートを高くする。例えば時速２ｋｍのときは２ＦＰＳ、時速１０ｋｍのときは１０ＦＰＳ、時速５０ｋｍのときは５０ＦＰＳで連写を行う。ここでいうフレームレートとは、連写時の撮影間隔のことであるが、速度が速くなるほどシャッタスピードを速くしたり、速度が速くなるほど撮影感度を高くしたり、あるいは被写界深度が深くなるよう設定する。
更に、速度が速いと場合によっては何が写っているのか分からなくなる場合も有るので画角を広く設定する。画角は撮像デバイス１１のズーム倍率を制御することで変化させる。
【００２７】
図６は、この動作を示すフローチャートである。ステップＳ３１１で、速度センサのセンシング信号を取り込む。上述したように複数のセンサの情報を組み合わせて使用する場合もある。次のステップＳ３２では、取り込んだセンシング信号から、オート撮影モード開始条件に達したか否かを判断する。達していなければ（ＮＯ）、ステップＳ３１へ戻る。上記例示したようなオート撮影モード開始条件に達していることが判断されると（ＹＥＳ）、ステップＳ３１２で再度ステップ３１１と同様、速度センサのセンシング信号を取り込む。続いてステップＳ３３に進み、取り込んだセンシング信号から、所定の速度に達したか否かを判断する。ＮＯであればステップＳ３１２、Ｓ３３をループし、所定の速度に達していれば（ＹＥＳ）、ステップＳ３４へ進む。
【００２８】
ここでは、撮影するための撮影条件を設定するもので、フレームレート、撮影感度の設定を行う。検出された速度が速いほど、フレームレートを高くし、撮影感度を高くし、シャッタスピードを速くする。
【００２９】
更に、速度が速いほど画角を広くする。画角を変えるにはズーム機構を制御すればよく、速度が遅いほど望遠側に、速度が速いほど広角側に移動させる。これらすべてを同時に実施するわけではなく、いずれかでよい。
【００３０】
次にステップＳ３５へ進み、このステップＳ３４で設定した撮影条件と、シャッタタイミングであることを示す信号を制御信号として撮像部１へ送信する。制御信号を受信した撮像部１は、この設定された撮影条件に従って撮像処理を行う。続くステップＳ３６で、取り込んだセンシング信号が上記例示したような撮影終了速度に達したか否かを判断し、ＮＯであればステップＳ３１２へ戻ってオート撮影を続行し、ＹＥＳであれば終了する（ＥＮＤ）。
これにより、スノーボードやスキー、サーフィン、マウンテンバイク、ロードバイク、ツーリング等、ユーザが自分で撮影操作をできず、また撮像部１を手で保持できない状態でも、腕や帽子やバッグ等に撮像部１とコントロール部２を別々に装着してオート撮影することができる。
【００３１】
＜第２の実施の形態＞
次に、第２の実施の形態について説明する。この実施の形態は、特定の高度をトリガーにオート撮影を行うものである。高さで等間隔に撮影したい場合等に有効である。センサとして高度センサを用いる。例えばスカイダイビングやパラグライダー、登山等において、予め定めた高度を変化するごとにオート撮影処理を実行する。オート撮影モードの開始又は終了も高度センサのセンシング結果で判断する。高度を下降する場合は、例えばスカイダイビングにおいて８００ｍからオート撮影モード開始、１００ｍ降下するごとにオート撮影を行い、２００ｍでオート撮影モード終了する。高度を上昇する場合は、例えば登山において登録された山の５合目（２５００ｍ）からオート撮影モード開始、予め定められた高度に達するごとにオート撮影を行い、山頂付近（３７５０ｍ）でオート撮影モードを終了という制御を行う。オート撮影モードの開始、終了を決定するためのセンサが、オート撮影の撮影タイミングを決定するためのセンサと違う種類のセンサであっても良いことは他の実施の形態と同様である。
【００３２】
図７Ａは登山のイメージを図示したもので、登山時のＳＴ１〜ＳＴ７がオート撮影のシャッタタイミングとして設定してある高度である。高度によりシャッタタイミングを決めているので、人によって登山にかかる時間が異なったり、歩くコースが異なったりしても同様の撮影ができる。
図７Ｂはパラグライダーのイメージを図示したもので、降下時のＳＴ１〜ＳＴ７がオート撮影のシャッタタイミングとなる。
【００３３】
図８は図７Ａ、７Ｂの動作を示すフローチャートである。ステップＳ４１１で高度センサからセンシング信号を取り込み、ステップ４２で取得した高度情報が、予め定めたオート撮影モード開始を定めた高度に達したか否かを判断する。ＮＯであれば、ステップＳ４１に戻り、高度センサのセンシング結果がオート撮影モード開始高度に達するまで繰り返す。ＹＥＳであればステップＳ４１２に進み、ステップＳ４１と同様に高度センサのセンシング信号を取り込む動作を行う。
【００３４】
続いてステップＳ４３へ進み、取り込んだセンシング信号（高度情報）が予め定めたシャッタタイミングとする所定の高度に達したか判断する。図７の例ではＳＴ１〜ＳＴ７に相当する高度である。ＮＯであればステップＳ４１２に戻って、高度センサのセンシング信号の取り込みを繰り返す。ＹＥＳであればシャッタタイミングであるので、ステップＳ４４へ進む。ステップＳ４４では、撮像デバイス１１を制御して撮像処理を実行する。続くステップＳ４５では、取り込んだセンシング信号（高度情報）が予め定めた撮影終了を定めた高度に達したか否かを判断する。ＮＯであればステップＳ４３へ戻り、オート撮影モードを継続するが、ＹＥＳであればオート撮影モードを終了する（ＥＮＤ）。
【００３５】
＜第３の実施の形態＞
次に、第３の実施の形態について説明する。この実施の形態は、コントロール部２内に時計とスケジュール帳を内蔵し、スケジュールに応じてオート撮影を行うものである。すなわち、センサ手段は時間を計測する時計であって、センサ部２５内に計時部を備え、制御部２０が時計機能を受け持つ。時間とイベントを対にしたスケジュール帳４０を記憶部２２に内蔵する。
【００３６】
図９は、記憶部２２内のスケジュール帳４０の構成イメージを示す。時間とイベントが対にして記憶されている一般的なスケジュール帳である。４２は時間情報項目エリア、４３はイベント情報項目エリア、４４は撮影情報項目エリアを示す。スケジュールに連動し、当該スケジュール時間にオート撮影が開始されるものであり、撮影情報項目エリア４４にカメラマーク４１が付加されているイベント時にオート撮影される。例えば、１０：３０〜１０：５５、１２：４５〜１４：２０、１４：３０〜１６：２０にオート撮影される。その時間帯に動画撮影しても良いし、所定間隔で複数枚の静止画を撮影しても良い。
【００３７】
このスケジュール帳４０は一般的なスケジューラと同様に作成するが、その際、撮影情報項目エリア４４に「カメラ」あるいは「撮影」等の特定の文字を入力すると、制御部２０がこれを認識し、カメラマーク４１に置き換えて撮影情報項目エリア４４に登録する。文字を認識せずにカメラマークのアイコンが用意してあってそれを指定してもよいし、アイコンに意味を持たせ、例えばスチルカメラのアイコンを選択すると静止画撮影、ビデオカメラのアイコンを選択すると動画撮影、他のアイコンを選択すると連写撮影、のように複数の撮影モードを区別して指定することもできる。制御部２０は文字を認識する機能を持ってもよいし、予め用意されている文字を単純にカメラマーク４１に置き換えるだけでもよい。
従ってユーザは、撮影情報項目エリア４４に撮影に関係する文字（単語）を入力するだけで、その項目に対応しているイベントをオート撮影するように設定できる。
【００３８】
更に、スマートフォンを含むウエアラブルデバイスに登録されるスケジュールに連動し、当該スケジュールの時間や場所にいる間、音声マイクをＯＮにし特定の言葉をトリガーに撮影を行う。例えば、「きれい！すごい！かっこいい！やばい！見て！・・・」等。カメラマーク４１が付加されているイベントのスケジュール時間帯内に、これらの音声を検知すると、オート撮影する。スケジュール時間帯外では反応しないので、無駄な撮影を防ぐことができる。
【００３９】
図１０はこの動作を説明するフローチャートである。まず、ステップＳ５１で制御部２０は通常に計時処理している。そして、設定されているカメラマーク４１が付加されているイベントのスケジュールの１分前になると（ステップＳ５２でＹＥＳ）、撮像部１の通信制御部１３とコントロール部２の通信制御部２１が無線確立（ペアリング）処理を行う（ステップＳ５３）。これは常時撮像部１とコントロール部２が無線通信していると消費電力が増大してしまうので、それを防止するためである。ステップＳ５２でＮＯ判定の場合はステップＳ５１に戻って計時処理を続ける。
【００４０】
ペアリングが確立された状態でセンサ部２５に備えられているマイクで音声情報を検知すると（ステップＳ５４でＹＥＳ）、ステップＳ５５に進んでカメラマーク４１が付加されているイベントのスケジュールの時間帯内であるか否かを判断する。スケジュール時間帯外であれば、音声情報は無視してステップＳ５８へ進む。スケジュール時間帯内であれば（ＹＥＳ）、ステップＳ５７へ進んでシャッタタイミングであることを示す制御信号を制御部１へ送信する。
【００４１】
ステップＳ５４で音声情報を検知したか否かを判断してＮＯのときはステップＳ５６へ進み、改めてセンサ部２５から計時情報を取り込んで計時情報とスケジュール情報が一致したか判断する。ステップＳ５６でＹＥＳであればステップＳ５７へ、ＮＯであればステップＳ５８へ進む。また、ステップＳ５４で音声信号を検知しなくても、撮影すべくスケジュールが設定されている時間と計時時間が一致すれば、ステップＳ５７へ進んで同じくシャッタタイミングであることを示す制御信号を制御部１へ送信する。
【００４２】
その後はステップＳ５８へ進み、このステップＳ５８へはスケジュール情報が一致しなくても音声信号が検知されなくてもここへ進んでくるが、計時時間がスケジュール時間帯を外れたか否かを判断する。時間帯を外れていれば（ＹＥＳ）、ステップＳ５９で一旦ペアリングを解除し、ステップＳ５１へ戻って計時からはじめる。まだスケジュール時間帯内であれば、ペアリング状態は保ったまま、ステップＳ５４へ戻り、音声検出かスケジュール時間一致を待つ。
【００４３】
すなわち、日程スケジュールの中でオート撮影モードにしておきたいイベントの最中は、感動の音声等を検出してシャッタタイミングとみなすが、撮影が設定されていないその他のイベント中は、音声を無視するものである。なお図１０のフローチャートはあくまで一例であって、種々変更可能である。
【００４４】
このようにすることにより、旅行等のイベントの日程スケジュールに、オート撮影スケジュールを組み込むことができ、予め撮影ポイント等を設定しておいてオート撮影することができる。また撮影予定のスケジュール時間帯内であれば、感動の言葉や予め設定した言葉でオート撮影することができる。スケジュール時間帯外では音声情報は無視されるので余計な撮影が行われることは無い。
この実施の形態においても、オート撮影開始モードの決定はＧＰＳによって、出発地点に着いたとき、オート撮影終了モードの決定は解散地点に着いたとき、としてもよい。
【００４５】
＜第４の実施の形態＞
次に、本発明の第４の実施の形態について説明する。この実施の形態は、特定の歩数をトリガーにオート撮影を行うものである。センサ手段として歩数計を用いる。例えばコントロール部２で検出した歩数が１０００歩ごとに撮像部１で撮像処理を行う。距離で等間隔に撮影したいが、ＧＰＳが使えないか、消費電力の関係でＧＰＳを使いたくない場合に有効である。オート撮影モードの開始又は終了も歩数で判断する。例えば、１０００歩からオート撮影モード開始、１００００歩でオート撮影モード終了、１歩目からオート撮影モード開始、２００００歩でオート撮影モード終了という制御を行う。
【００４６】
図１１はこの動作を示すフローチャートである。まず、ステップＳ６１で、歩数計の計測結果である歩数データを取り込む。次のステップＳ６２の判断ステップで、予め定めたオート撮影モードを開始する歩数（例えば１０００歩）になったかを判断する。ＮＯであればステップＳ６１へ戻り、歩数の計測を続ける。ＹＥＳであれば、ステップＳ６３へ進み、歩数系からの歩数結果を取り込む。そしてステップＳ６４へ進み、予め定めたシャッタタイミングとなる歩数になったか判断する（例えば、１０００歩ごとに撮影するのであれば、２０００歩、３０００歩、４０００歩、・・・）。ＮＯであればステップＳ６３へ戻って計測を続け、ＹＥＳとなったらステップＳ６５へ進んで、シャッタタイミングであることを示す制御信号を撮像部１へ送って、撮像部１に撮影処理を実行させる。続くステップＳ６６では、歩数データがオート撮影モード終了の歩数となったか否かを判断する。ＮＯであればステップＳ６３に戻って計測を続けるが、ＹＥＳであれば、ＥＮＤとなる。
【００４７】
なお、本第４の実施の形態において、オート撮影モードを開始するタイミングと、オート撮影モードを終了するタイミングは、歩数ではなく９時開始、１２時終了のように時刻で設定してもよい。また、加速度センサにより動きの開始と終了を検出し、歩き始めをオート撮影モードを開始するタイミングとし、歩き終わりをオート撮影モードを終了するタイミングとしてもよい。
更に、特定のハイキングコースや散策路を歩くときは、特定のスタート地点を通過したらオート撮影モード開始、特定のゴール地点を通過したらオート撮影モード終了としてもよい。
【００４８】
＜第５の実施の形態＞
次に、本発明の第５の実施の形態について説明する。この実施の形態は、ウエアラブルデバイスを利用し、自分撮りに特化してオート撮影を行うユーザーインタフェースである。
自分撮りのために、被写体ぶれの検出技術の延長線上として、被写体が静止したことを検知してオート撮影を行う仕組みは知られている。しかし、従来の技術では、体全体のおおよその動作で静止判定されて勝手に撮影されることがあり、逆に動き判定を厳密にしすぎると静止判定されず撮影がなかなかされないことがあるという課題がある。自分撮りが大好きなユーザは、微妙にポーズを変えながら連続で数十枚程度の撮影を行うため、意図せず撮影されたり、スムーズな撮影がされなかったりすると大きなストレスになってしまう。またリモコンを使って遠隔操作で撮影する方法もあるが、手にリモコン持たなければならず、ポージングに制約がでてしまうという課題がある。
【００４９】
この実施の形態は、本発明を応用して上述の課題を解決するものである。すなわち、体全体を撮影するため、撮影中は、カメラは手の届かない所に設置されている。モデルがポージングをしながら、カメラマンが少し離れて撮影しているイメージである。これをユーザが一人でポージングしながら撮影する。以下に例を挙げる。この例のイメージを図示したものが図１２である。
【００５０】
図１２は、本第５の実施の形態の考え方を説明するためのイメージ図である。まず、オート撮影モード（ポージングモード）を開始する。この開始は、ユーザ操作により行うものとするが、所定の時刻、位置、動き、音声等を検出してもよい。撮像部１Ａが固定され、被写体となるユーザがウエアブルデバイスであるリスト端末２Ａを腕に装着している。ユーザの動きはリスト端末２Ａに内蔵されている加速度センサとジャイロセンサで検出することができるので、予め、決めポーズを設定しておく。すなわちセンサ手段として加速度センサとジャイロセンサを用いる。
【００５１】
オート撮影モードスタート操作をしてから０．５秒後にバイブレーション通知がある。ここでユーザは決めポーズを取る。
（１）決めポーズで静止してから、０．５秒でオート撮影される。
（２）撮影後に動いてから、再度決めポーズで静止すると０．５秒でオート撮影される。（カメラマンがいるかのように、決めポーズをとる度に撮影される）。
（３）ジャイロセンサが静止した時には、リスト端末２Ａがバイブレーション等の通知がされる。（これから撮影するよ！という通知）。
（４）通知があってから０．５秒で撮影されるが、その間に動くと撮影はキャンセルされ、次の静止を待つ。
（５）この撮影を行うためには「ポージングモード」をユーザ操作で開始を行う。
（６）この撮影を終了するためには「ポージングモード」をユーザ操作で終了させる。すなわちオート撮影モードを終了する。ユーザ操作の代わりに所定の時刻、位置、動き、音声等を検出してもよい。
これにより、ユーザは自分がコントロール部２（リスト端末）を装着することにより、離れたところにある撮像部１で、自分自身の動きによってオート撮影を行うことができる。
【００５２】
図１３は第５の実施の形態の変形例を示すものである。スノーボードをイメージしており、センサ手段として加速度センサとジャイロセンサを用いる。加速度センサとジャイロセンサを組み合わせることで物体の複雑な動きを検出することができ、例えばスノーボードのトリック（技）を検出したタイミングをシャッタタイミングとし、オート撮影を行うものである。トリックの検出は、ジャイロセンサと加速度センサの値の組み合わせをテーブル化しておいても良いし、単にジャイロセンサにより急激な進行方向変化を検出した瞬間でも良い。このようなセンサによる人体の動き検出技術は３Ｄモーショントラッキングとしても知られている。代表的なトリックには、スピントリック、グラブトリック、グランドトリック等がある。また、ジャイロセンサと加速度センサの値の時系列の変化によりトリックに入りかけていることを推測できるので、事前にオートシャッタを開始し、トリックの前後を高速連写するようにしても良い。すなわち、トリックに入りかけていることを推測したらオート撮影モードを開始し、トリックの瞬間又はその前後をオート撮影し、トリックの終了を推測したらオート撮影モードを終了する。
【００５３】
＜第６の実施の形態＞
図１４は第６の実施の形態を示すもので、図１２の例では自分自身を撮影する例を示したが、撮像部１とコントロール部２が１対１に対応するだけでなく、Ｎ対Ｎ（複数）にも対応する例を示すものである。図１４（ａ）において、Ａさんが身に着けている撮像部１ＡはＢさんが身に着けているウエアラブルデバイスであるリスト端末２Ｎのセンサに反応してオート撮影し、Ｂさんが身に着けている撮像部１ＮはＡさんが身に着けているリスト端末２Ａのセンサに反応してオート撮影を行う。すなわち、Ａさんの撮像部１ＡとＢさんの持っているリスト端末２Ｎとペアリングを行い、Ｂさんの撮像部１ＮとＡさんのリスト端末２Ｎがペアリングを行う。これはお互いのＩＤを登録しておくことで可能である。
【００５４】
例えば図１４（ｂ）に示すように、サイクリングの場合、お互いの走っている姿を正面から撮影する。Ａさんが先頭を走る場合、Ａさんの撮像部１ＡがＢさんを撮影する。Ｂさんはジェスチャー（ポージング）や速度等リスト端末２ＮのセンサでＡさんの撮像部１Ａを制御する。Ｂさんが先頭を走る場合、Ｂさんの撮像部１ＮがＡさんを撮影する。Ａさんはジェスチャーや速度等、リスト端末２ＡのセンサでＢさんの撮像部１Ｎを制御する。
オート撮影モードの開始と終了は、速度で決定しても良いし、スターと地点とゴール地点の位置情報で決定しても良い。サイクリングの開始時刻と終了時刻で決定しても良い。
【００５５】
以上、複数の実施の形態により説明したように、本発明はセンサを備えたコントロール部と、被写体を撮影する撮像部が分離していて、無線で接続されており、コントロール部のセンサのセンシング結果に応じて撮像部のオートシャッタ制御をすることができる。従って、スカイダイビングや登山、ジョギング等のスポーツ中や、カメラを背中のバッグに装着したり、帽子に装着したり、離れたところに設置したりして自分でカメラ操作ができないとき、オート撮影ができるので大変便利である。
【００５６】
なお、上記実施の形態では、オート撮影モードの開始又は終了トリガーとなるセンサと、オート撮影のシャッタタイミングトリガーとなるセンサが同じものである例を中心に説明したが、オート撮影モードの開始又は終了のトリガーとなるセンサと、オート撮影のトリガーとなるセンサは種類が違うものでも良いものである。これによって、より柔軟にオート撮影モードの開始又は終了タイミングとオート撮影のシャッタタイミングを設定することができる。
【００５７】
＜実施の形態の効果＞
以下に、本発明の実施の形態の効果並びに実施の形態から推考できる効果について列挙する。
（１）レンズ（撮像部）とモニター（コントロール部）が分離することで、今までにないアングル、今までにない撮り方ができるため、自分撮り、みんな撮り、更には後ろ撮り等、楽しい時間を生み出すことができる。カメラ部とコントロール部の通信にＢｌｕｅｔｏｏｔｈ（登録商標）を採用し、スムーズな撮影が可能。
【００５８】
（２）タッチ操作や音声を使って、自在にリモコン使用ができ、利用シーンが広がる。
（３）ファインダ映像や、自動撮影した画像を手元にすぐ配信できるので、何が撮れるか常に見える。何が撮れたかすぐに分かる。
（４）屋外でのレジャーやスポーツを離れた場所から手元で撮影できる。
（５）日常のちょっとしたシーンを離れた場所から手元で撮影できる。
（６）普段から使い慣れているスマートフォンでも手元から手軽に撮影できる。
（７）「自分撮り、みんな撮り、後ろ撮り」の利用シーンが拡がる。
【００５９】
（８）今この瞬間の映像を、友達や世界中の人とシェアできる。ウエアラブルなら、スマートフォンを取り出さなくても手元でコントロールが可能。ポールに取り付けて人垣の向こう側の画を撮る。リスト端末で映り具合を確認し、音声でシャッタを切る等。
【００６０】
（９）リスト端末のセンサで動きや状態を検出して、自動的に撮れる。例えばパラグライダーにおいて、高度センサで滑降開始を検知し、１００ｍ下降ごとに写真を自動撮影。あるいは、スノーボードにおいて、加速度・ジャイロセンサでトリック（技）を決めた瞬間を検出して連写できる。並走するパートナーにカメラを装着してもらえば自分を被写体とした写真が撮れる。
【００６１】
（１０）「いい写真」が自動的に選ばれて、手元にすぐ届く。装着されたカメラが、定期的に自動撮影していて、「良い写真」と判断された画像が、リストへすぐ届く。「良い写真」とは「シーン判定」「笑顔の度合い」「顔が大きく写ったか」「ぶれていない・露出が適正」等によって判断する。
【００６２】
（１１）撮れた写真から、顔だけを拡大してリスト端末に大きく表示することができる。
（１２）これまで撮れなかった、観たかったアングルの映像が撮れる。例えばコンサートやパレードで、人垣を越えてカメラをエクステンションポールに装着して、リスト端末で確認すれば良く見える。確実に撮れる。
【００６３】
（１３）動物や玩具に取り付けることで、予想外の映像が撮れる。カメラを犬等のペットに装着すると、一味違うアングルのペット目線の写真が撮れる。ペットが停まった瞬間や、顔を検出した瞬間を検出して撮影できる。また、ラジコンヘリ（ドローン等）で上からの映像ラジコンのリモート操作で両手は忙しいため、リストで映りを確認しながら、音声で動画や静止画を撮影できる。カメラはラジコンヘリに装着し、リストで映り具合を確認し、音声でシャッタを切る。
（１４）ユーザは腕の動きだけを気にすれば良いので、直感的に使える。
【００６４】
以上、この発明の実施の形態について説明したが、この発明はこれらに限定されるものではなく、特許請求の範囲に記載された発明とその均等の範囲を含むものである。
以下に、本願出願時の特許請求の範囲を付記する。
【００６５】
＜付記＞
［請求項１］
被写体を撮像する撮像部と、
前記撮像部とは異なる筐体に収容され、前記撮像部と無線で接続される携帯可能な装置と、
からなり、
前記携帯可能な装置はセンサ手段を備え、このセンサ手段のセンシング結果に基づく制御信号を前記撮像部へ無線で送信し、
前記撮像部は受信した前記制御信号に基づいてオート撮影モード開始又はオート撮影モード終了、及びシャッタタイミング決定を含む撮像処理を行うことを特徴とするシステム。
［請求項２］
請求項１記載のシステムにおいて、
前記センサ手段は、第１の種類のセンサと第２の種類のセンサを含み、
前記制御信号は前記第１の種類のセンサのセンシング結果と前記第２の種類のセンシング結果を含み、
前記撮像部が行う撮像処理は、前記第１の種類のセンサのセンシング結果に基づいてオート撮影モード開始又はオート撮影モード終了の処理を行い、前記第２の種類のセンサのセンシング結果に基づいてシャッタタイミング決定の処理を行うことを特徴とする。
［請求項３］
請求項１又は２記載のシステムにおいて、
前記携帯可能な装置は前記センサ手段のセンシング結果を基に前記シャッタタイミングを認識し、その認識結果を前記制御信号として前記撮像部へ送信し、
前記撮像部は、受信した前記制御信号に基づいて撮像処理を行うことを特徴とする。
［請求項４］
請求項１又は２記載のシステムにおいて、
前記携帯可能な装置は前記センサ手段のセンシング結果を前記制御信号として前記撮像部へ送信し、
前記撮像部は受信した前記制御信号から前記シャッタタイミングを認識し、その認識結果に基づいて撮像処理を行うことを特徴とする。
［請求項５］
請求項１乃至４いずれかに記載のシステムにおいて、
前記センサ手段は速度センサ又は加速度センサであり、前記センシング結果は速度情報又は加速度情報であることを特徴とする。
［請求項６］
請求項５記載のシステムにおいて、
前記撮像部は、前記速度情報が速いほど、又は前記加速度情報が大きいほど、より高いフレームレートで撮像処理を行うことを特徴とする。
［請求項７］
請求項５記載のシステムにおいて、
前記撮像部は、前記速度情報が速いほど、又は前記加速度情報が大きいほど、より広い画角で撮像処理を行うことを特徴とする。
［請求項８］
請求項１乃至４いずれかに記載のシステムにおいて、
前記センサ手段は高度センサであり、前記センシング結果は高度情報であることを特徴とする。
［請求項９］
請求項１乃至４いずれかに記載のシステムにおいて、
前記センサ手段は時計であり、前記センシング結果は時間情報であることを特徴とする。
［請求項１０］
請求項９記載のシステムにおいて、
前記装置内にスケジュール情報が設定されており、前記撮像部は、前記スケジュール情報と前記時間情報とに応じて撮像処理を行うことを特徴とする。
［請求項１１］
請求項９記載のシステムにおいて、
音声検知手段を更に備え、前記スケジュール情報が設定されている時間帯内に、前記音声検知手段が音声情報を検知すると、前記制御信号として音声情報を送信し、前記撮像部は、前記音声情報に応じて撮像処理を行うことを特徴とする。
［請求項１２］
請求項１０又は１１記載のシステムにおいて、
前記スケジュール情報と前記時間情報に応じて、スケジュール時間に入る所定時間前に無線確立（ペアリング）する通信制御手段を更に備えることを特徴とする。
［請求項１３］
請求項１乃至４いずれかに記載のシステムにおいて、
前記センサ手段は歩数センサであり、前記センシング結果は歩数情報であることを特徴とする。
［請求項１４］
請求項１乃至４いずれかに記載のシステムにおいて、
前記センサ手段はジャイロセンサであり、前記センシング結果は前記携帯可能な装置の動き情報であり、前記撮像部は、当該動き情報に基づいて撮像処理を開始又は終了することを特徴とする。
［請求項１５］
請求項１乃至１４いずれかに記載のシステムにおいて、
前記携帯可能な装置はスマートフォンであることを特徴とする。
［請求項１６］
請求項１乃至１４いずれかに記載のシステムにおいて、
前記携帯可能な装置は腕に装着可能なリスト端末であることを特徴とする。
［請求項１７］
請求項１乃至１４いずれかに記載のシステムにおいて、
前記撮像部と前記携帯可能な装置は着脱可能に構成されることを特徴とする。
［請求項１８］
携帯可能な装置であって、
センサ手段と、
前記センサ手段のセンシング結果を基に、オート撮影モードの開始又はオート撮影モードの終了、及びシャッタタイミングを認識する認識手段と、
前記認識手段により認識された結果を制御信号として外部へ送信する送信手段と、
を具備することを特徴とする。
［請求項１９］
携帯可能な装置であって、
第１のセンサと、
前記第１のセンサのセンシング結果を基に、オート撮影モードの開始又はオート撮影モードの終了を認識する第１の認識手段と、
第２のセンサと、
前記第２のセンサのセンシング結果を基に、シャッタタイミングを認識する第２の認識手段と、
前記第１又は第２の認識手段により認識された結果を制御信号として外部へ送信する送信手段と、
を具備することを特徴とする装置。
［請求項２０］
センサ手段を備え、撮像部と分離している携帯可能な装置のＣＰＵが実行する制御方法であって、
前記センサ手段のセンシング結果を基に前記撮像部のオート撮影モード開始又はオート撮影モード終了、及びシャッタタイミングを認識する認識工程と、
前記認識工程により認識された結果を制御信号として前記撮像部へ送信する送信工程と、
を含む制御方法。
【符号の説明】
【００６６】
１、１Ａ、１Ｂ、１Ｃ、１Ｎ  撮像部
２Ａ、２Ｎ  リスト端末
２Ｂ、２Ｃ  スマートフォン
２        コントロール部
１０      制御部
１１      撮像デバイス
１２      記憶部
１３      通信制御部
１４      センサ部
２０      制御部
２１      通信制御部
２２      記憶部
２３      表示部
２４      操作部
２５      センサ部
４０      スケジュール帳
４１      カメラマーク
４２      時間情報項目エリア
４３      イベント情報項目エリア
４４      撮影情報項目エリア
１００      カメラシステム
２００      インターネット
【図１】
0006476692.tif 000002
【図２】
0006476692.tif 000003
【図３】
0006476692.tif 000004
【図４】
0006476692.tif 000005
【図５】
0006476692.tif 000006
【図６】
0006476692.tif 000007
【図７Ａ】
0006476692.tif 000008
【図７Ｂ】
0006476692.tif 000009
【図８】
0006476692.tif 000010
【図９】
0006476692.tif 000011
【図１０】
0006476692.tif 000012
【図１１】
0006476692.tif 000013
【図１２】
0006476692.tif 000014
【図１３】
0006476692.tif 000015
【図１４】
0006476692.tif 000016